(57)【要約】【課題】  本発明は、オムツを無菌状態で使用できるようにするため、木炭による滅菌・消臭、遠赤外線効果と二酸化チタンによるウイルス（インフルエンザ）を分解する滅菌・消臭効果を合わせることにより、上記した目的の効果の増強（増大）を図り、その結果として感染症を未然に防げるようにしたもので、消臭効果や、滅菌効果に優れる木炭パウダー入りオムツに関する。【解決手段】  透水性トップシートの裏面側に高分子吸収体を配設し、さらにその裏面側に木炭パウダーを含んだ綿繊維からなる木炭シート素材を配設し、この木炭シート素材の裏面側にバックシートを配設したこと、または透水性トップシートの裏面側に高分子吸収体を配設し、さらにその裏面側に二酸化チタン粉末を含んだバインダー層を介在させて木炭パウダーを含んだ綿繊維からなるシート素材を配設し、このシート素材の裏面側にバックシートを配設した。【選択図】  図３
2007143573.tif 000002
【特許請求の範囲】
【請求項１】
透水性トップシートの裏面側に高分子吸収体を配設し、さらにその裏面側に木炭パウダーを含んだ綿繊維からなる木炭シート素材を配設し、この木炭シート素材の裏面側にバックシートを配設したことを特徴とする木炭パウダー入りオムツ。
【請求項２】
透水性トップシートの裏面側に高分子吸収体を配設し、さらにその裏面側に二酸化チタン粉末を含んだバインダー層を介在させて木炭パウダーを含んだ綿繊維からなるシート素材を配設し、このシート素材の裏面側にバックシートを配設したことを特徴とする木炭パウダー入りオムツ。
【請求項３】
オムツがパンツ型であることを特徴とする特許請求の範囲１又は２記載の木炭パウダー入りオムツ。
【発明の詳細な説明】
【技術分野】
【０００１】
本発明は、消臭効果、滅菌効果に優れた木炭パウダー入りオムツに関するものである。
【背景技術】
【０００２】
従来、高分子吸収体を素材にした各種のオムツが提案されているが、内部に木炭パウダーを入れて消臭効果や、滅菌効果を向上させたオムツの出現が望まれていた。
【０００３】
【特許文献１】特開２００５−１３７６１７号公報
【発明の開示】
【発明が解決しようとする課題】
【０００４】
上記特許文献１に記載されたオムツは、表面層と裏面層を多数の繋ぎ糸で連結して立体構造とした保水層を介在させて尿を効率的に吸収、保持できるようにしたものであるが、そのオムツ内には木炭パウダーが混入されていないため、木炭パウダーが有する消臭効果や、滅菌効果が発揮されず、さらには二酸化チタン粉末を含んだバインダー層（いわゆる光触媒）を備えることもなかったので、この点からも滅菌効果が不十分となる問題があった。
【０００５】
本発明は、オムツを無菌状態で使用できるようにするため、木炭による滅菌・消臭、遠赤外線効果と二酸化チタンによるウイルス（インフルエンザ）を分解する滅菌・消臭効果を合わせることにより、上記した目的の効果の増強（増大）を図り、その結果として感染症を未然に防げるようにするものである。
本発明は、上記の全ての問題点を解消して、消臭効果や、滅菌効果に優れる木炭パウダー入りオムツを提供せんとするものである。
【課題を解決するための手段】
【０００６】
上記目的を達成するために、請求項１記載の発明は、透水性トップシートの裏面側に高分子吸収体を配設し、さらにその裏面側に木炭パウダーを含んだ綿繊維からなる木炭シート素材を配設し、この木炭シート素材の裏面側にバックシートを配設したことを特徴とする木炭パウダー入りオムツである。
【０００７】
請求項２記載の発明は、透水性トップシートの裏面側に高分子吸収体を配設し、さらにその裏面側に二酸化チタン粉末を含んだバインダー層を介在させて木炭パウダーを含んだ綿繊維からなるシート素材を配設し、このシート素材の裏面側にバックシートを配設したことを特徴とする木炭パウダー入りオムツである。
【０００８】
請求項３記載の発明は、オムツがパンツ型であることを特徴とする特許請求の範囲１又は２記載の木炭パウダー入りオムツである。
【発明の効果】
【０００９】
以上述べたように、請求項１及び２の木炭パウダー入りオムツによれば、木炭パウダー並びに二酸化チタンによる消臭機能、滅菌機能が発揮され、糞尿に混入して拡散する恐れのあるＳＡＲＳ，鳥インフルエンザ等の病原菌コロナウイルス、その他のウイルス、細菌等の除去、滅菌、その他の有害物質の分解・防御の効果があり、その結果として感染症の発生を未然に防げるという効果がある。
【００１０】
また請求項３の木炭パウダー入りオムツによれば、オムツがパンツ型を呈するため、着用者に短時間で簡単に装着させることができ、乳幼児はもちろんのこと、成人に対しても使いやすいものとなる効果が達成される。
【発明を実施するための最良の形態】
【００１１】
以下添付図面に基づいて、本発明に係る木炭パウダー入りオムツの実施例を詳説する。
図１は本発明の木炭パウダー入りオムツの正面図、図２は同右側面図、図３は図１におけるＡ−Ａ線縦断面図、図４は木炭パウダーを含んだ木炭シート素材の展開状態の縦断面図、図５は同木炭シート素材にバインダー層を形成した状態の縦断面図である。
【実施例１】
【００１２】
本発明の木炭パウダー入りオムツ１は、図１乃至図３に示されるように、表面側から、透水性トップシート２、高分子吸収体３、木炭シート素材、５バックシートの順で配設されている。
【００１３】
透水性トップシートは着用者の肌に直接触れる部分であり、糞尿を透過させて裏面側に配設されている高分子吸収体３に導き、一旦透過させた糞尿の後戻りを防止できる性質の素材で構成されている。従って、その表面は常時サラサラ感を保った状態となっている。
【００１４】
着用者の脚部は、オムツ１の脚通し孔７に通され、その付け根はフリルで隙間のない状態で締められることとなる。またゴム紐部９は着用者の胴部を締めるようになっているので、着用時の装着安定性は万全である。
【００１５】
本発明の木炭シート素材４は、一般的に不織布や綿繊維で形成されるが、その木炭シート素材４には木炭パウダーがスプレー方式や浸漬方式にて含浸され、ここで木炭パウダーとしてはヒノキ炭を原料とした場合には、活性酸素などに効果のあるヒノキチオールが大量に含有されているため、効果的な木炭パウダー入りオムツが得られる。
【００１６】
木炭シート素材４に含まれる木炭パウダーは、パウダー表面に微小穴が無数に存在し、その微小穴の内壁中には、さらに別の微小穴が多数存在している。このため、これらの全ての微小穴が縦横無尽に繋がっている多孔質の素材となり、木炭パウダーは外気に触れる微小穴の表面積が著しく大きくなる。
このように、木炭パウダーは外気に触れる表面積が飛躍的に大きくなるので、臭気及び湿気を確実に消すと同時に滅菌効果もある。
【００１７】
木炭パウダー入りオムツを使用することで、木炭パウダーで臭気を好適に消し、さらに木炭パウダーの機能により糞尿を通じて流入するウイルスを駆除し、細菌等を捕捉して、これらの除去、滅菌に大きく寄与する。
【００１８】
ここで具体的数字で説明すると、木炭シート素材４の面積１００センチメートル当り、０．１〜２０グラム程度の木炭パウダーを混入させることが好ましい。
【実施例２】
【００１９】
ついで、図５に示した実施例２について説明すると、実施例１における木炭シート素材４あるいは透水性トップシート２の表裏面の少なくとも一方に、二酸化チタン粉末を含んだバインダー層６（通常は光触媒と称される）をスプレー方式又は浸漬方式にて形成すると、このバインダー層６の機能により消臭、滅菌効果は一層向上する。
すなわち二酸化チタンの光触媒の特徴のひとつは、光による強い酸化力であり、酸素が光触媒によって活性化され、反応性の高い活性酸素となり、この活性酸素の作用により消臭、滅菌効果が確保されることとなる。
【００２０】
上記のバインダー層６は、木炭シート素材４の片面はもちろん、両面に形成することも可能であり、さらには透水性トップシート２の片面あるいは両面に形成しても良いことはもちろんである。
【００２１】
ここで木炭シート素材４を詳しく説明すると、メイン素材１１としては不織布や綿繊維等からなり、このメイン素材１１の表面に木炭パウダー１２がスプレー方式や浸漬方式にて含浸されるものであり、含浸された木炭パウダー１２の一部は当然のことながらメイン素材１１中にも入り込む。このようにして木炭シート素材４が形成されるので、オムツ１への形成に際しては安定した形成が可能であり、形成後の消臭、滅菌効果はまったく損なわれることがない。
【００２２】
またバックシート５はオムツ１に吸収された糞尿が外部に漏れないようにするためのものであるから、防水性に優れた素材で形成されている。
【産業上の利用可能性】
【００２３】
本発明の木炭パウダー入りオムツは、病院、介護施設、保育所さらには一般家庭内においても、利用することが可能である。
【図面の簡単な説明】
【００２４】
【図１】本発明の木炭パウダー入りオムツの正面図である。
【図２】同右側面図である。
【図３】図１におけるＡ−Ａ線縦断面図である。
【図４】木炭パウダーを含んだ木炭シート素材の展開状態の縦断面図である。
【図５】同木炭シート素材にバインダー層を形成した状態の縦断面図である。
【符号の説明】
【００２５】
１…木炭パウダー入りオムツ
２…透水性トップシート
３…高分子吸収体
４…木炭シート素材
５…バックシート
６…二酸化チタン粉末を含んだバインダー層
７…脚通し孔
８…フリル
９…ゴム紐部
１１…メイン素材
１２…木炭パウダー
【図１】
2007143573.tif 000003
【図２】
2007143573.tif 000004
【図３】
2007143573.tif 000005
【図４】
2007143573.tif 000006
【図５】
2007143573.tif 000007